(57)【要約】【課題】製品の製造指示書を複数の出図端末の中から出力先を割り振って、一括して出力できる製造指示書発行方法及び製造指示書発行システムを提供する。【解決手段】クライアント端末３０は、指示ファイルに基づいて文書管理サーバ２０を検索する。そして、クライアント端末３０は、検索結果ファイル、指示レコード及びレイアウト情報に基づいて、製造指示書の作成に必要なデータを出図管理システム３６に送信する。出図管理システム３６は、検索結果ファイルの属性情報に応じて、出力先を振り分け、振り分けられたプリンタ３８又は出図端末３９で製造指示書を出力する。【選択図】　　　図１
2004062817.tif 000002
【特許請求の範囲】
【請求項１】
各製品の製造時に対応して準備された文書ファイルを記憶する文書管理サーバと、複数の出図端末とに接続された製造指示書発行システムを用いて製造指示書を発行する製造指示書発行方法であって、
前記製造指示書発行システムが、
製造対象の製品毎に割り当てられた指示レコードを１以上含む指示ファイルを受信して記憶する段階と、
受信した指示レコードに基づいて、前記文書管理サーバに文書ファイルの検索を指示する段階と、
検索された前記文書ファイルを前記文書管理サーバから受信する段階と、
前記指示レコード及び検索された前記文書ファイルを用いて生成した製造指示書を前記複数の出図端末の中から出力先を割り振って出力する段階と
を備えたことを特徴とする製造指示書発行方法。
【請求項２】
請求項１に記載の製造指示書発行方法において、
前記製造指示書を前記出図端末に出力先を割り振って出力する段階は、
前記文書ファイルの属性情報に基づいて、出力対象の製造指示書又は出力先の出図端末を特定することを特徴とする製造指示書発行方法。
【請求項３】
請求項１又は２に記載の製造指示書発行方法において、
前記製造指示書を前記出図端末に出力先を割り振って出力する段階は、
前記指示レコードに設定された出力先に基づいて、出力先の出図端末を特定することを特徴とする製造指示書発行方法。
【請求項４】
各製品の製造時に対応して準備された文書ファイルを記憶する文書管理サーバと、複数の出図端末とに接続された製造指示書発行システムであって、
製造対象の製品毎に割り当てられた指示レコードを１以上含む指示ファイルを受信して記憶する指示ファイル受信記憶手段と、
受信した指示レコードに基づいて、前記文書管理サーバに文書ファイルの検索を指示する検索指示手段と、
検索された前記文書ファイルを前記文書管理サーバから受信する段階と、
前記指示レコード及び検索された前記文書ファイルを用いて生成した製造指示書を前記複数の出図端末の中から出力先を割り振って出力する製造指示書出力手段と
を備えたことを特徴とする製造指示書発行システム。
【請求項５】
請求項４に記載の製造指示書発行システムにおいて、
前記製造指示書出力手段は、
前記文書ファイルの属性情報に基づいて、出力対象の製造指示書又は出力先の出図端末を特定する手段を備えたことを特徴とする製造指示書発行システム。
【請求項６】
請求項４又は５に記載の製造指示書発行システムにおいて、
前記製造指示書出力手段は、
前記指示レコードに設定された出力先に基づいて、出力先の出図端末を特定する手段を備えたことを特徴とする製造指示書発行システム。
【発明の詳細な説明】
【０００１】
【発明の属する技術分野】
本発明は、製品の製造指示書を発行する製造指示書発行方法及び製造指示書発行システムに関する。
【０００２】
【従来の技術】
製品の製造を行う製造業においては、それぞれの製品に対応する設計図に基づいて製品の製造を行っている。製造する製品は、受注に応じて日々異なり、それぞれの製品に対応する設計図が必要となる。
【０００３】
一方、製品の設計図等の図面文書は、文書管理サーバ等を用いて管理し、検索指示を投入することにより検索を実行し、必要な文書を取り出すことが一般に行われている。また、複数の部署で、同一の文書管理サーバを使用している場合があり、例えば、製造部門の他、設計部門でも図面を必要とする。
【０００４】
【発明が解決しようとする課題】
しかし、日々、必要な設計図を用意する場合に、担当者が、製品毎に検索条件を入力して必要な図面を文書管理サーバから検索し、出力するのでは、担当者の負担が大きく、効率的でない。また、設計部門にて設計変更を行った場合に、設計部門の担当者による確認のために出力する場合、確認を行う担当者と実際に図面の変更を行った担当者とは異なる場合がある。このような場合、まとめて出力できれば便利である。さらに、複数の部署で、同一の文書管理サーバを使用している場合は、部署毎に必要な図面を配布できれば便利である。
【０００５】
本発明は、上記問題点を解決するためになされたものであり、その目的は、製品の製造指示書を複数の出図端末の中から出力先を割り振って、一括して出力できる製造指示書発行方法及び製造指示書発行システムを提供することにある。
【０００６】
【課題を解決するための手段】
上記問題点を解決するために、請求項１に記載の発明は、各製品の製造時に対応して準備された文書ファイルを記憶する文書管理サーバと、複数の出図端末とに接続された製造指示書発行システムを用いて製造指示書を発行する製造指示書発行方法であって、前記製造指示書発行システムが、製造対象の製品毎に割り当てられた指示レコードを１以上含む指示ファイルを受信して記憶する段階と、受信した指示レコードに基づいて、前記文書管理サーバに文書ファイルの検索を指示する段階と、検索された前記文書ファイルを前記文書管理サーバから受信する段階と、前記指示レコード及び検索された前記文書ファイルを用いて生成した製造指示書を前記複数の出図端末の中から出力先を割り振って出力する段階とを備えたことを要旨とする。
【０００７】
請求項２に記載の発明は、請求項１に記載の製造指示書発行方法において、前記製造指示書を前記出図端末に出力先を割り振って出力する段階は、前記文書ファイルの属性情報に基づいて、出力対象の製造指示書又は出力先の出図端末を特定することを要旨とする。
【０００８】
請求項３に記載の発明は、請求項１又は２に記載の製造指示書発行方法において、前記製造指示書を前記出図端末に出力先を割り振って出力する段階は、前記指示レコードに設定された出力先に基づいて、出力先の出図端末を特定することを要旨とする。
【０００９】
請求項４に記載の発明は、各製品の製造時に対応して準備された文書ファイルを記憶する文書管理サーバと、複数の出図端末とに接続された製造指示書発行システムであって、製造対象の製品毎に割り当てられた指示レコードを１以上含む指示ファイルを受信して記憶する指示ファイル受信記憶手段と、受信した指示レコードに基づいて、前記文書管理サーバに文書ファイルの検索を指示する検索指示手段と、検索された前記文書ファイルを前記文書管理サーバから受信する段階と、前記指示レコード及び検索された前記文書ファイルを用いて生成した製造指示書を前記複数の出図端末の中から出力先を割り振って出力する製造指示書出力手段とを備えたことを要旨とする。
【００１０】
請求項５に記載の発明は、請求項４に記載の製造指示書発行システムにおいて、前記製造指示書出力手段は、前記文書ファイルの属性情報に基づいて、出力対象の製造指示書又は出力先の出図端末を特定する手段を備えたことを要旨とする。
【００１１】
請求項６に記載の発明は、請求項４又は５に記載の製造指示書発行システムにおいて、前記製造指示書出力手段は、前記指示レコードに設定された出力先に基づいて、出力先の出図端末を特定する手段を備えたことを要旨とする。
【００１２】
（作用）
請求項１又は４に記載の発明によれば、製造指示書発行システムは、各製品の製造時に対応して準備された文書ファイルを記憶する文書管理サーバと、複数の出図端末とに接続されている。そして、製造指示書発行システムは、製造対象の製品毎に割り当てられた指示レコードを１以上含む指示ファイルを受信して記憶し、受信した指示レコードに基づいて、前記文書管理サーバに文書ファイルの検索を指示する。そして、検索された文書ファイルを文書管理サーバから受信し、指示レコード及び検索された文書ファイルを用いて生成した製造指示書を前記複数の出図端末の中から出力先を割り振って出力する。このため、指示レコードに基づいて文書管理サーバから抽出した文書ファイルと指示レコードとに基づいて生成した製造指示書を複数の出図端末の中から出力先を割り振って出力できる。
【００１３】
請求項２又は５に記載の発明によれば、製造指示書発行システムは、文書ファイルの属性情報に基づいて、出力対象の製造指示書又は出力先の出図端末を特定する。このため、必要な文書ファイルに基づく製造指示書のみ出力できる。また、文書ファイル毎に、所定の出図端末で製造指示書を出力できる。
【００１４】
請求項３又は６に記載の発明によれば、製造指示書発行システムは、指示レコードに設定された出力先に基づいて、出力先の出図端末を特定する。このため、指示レコードに設定された出力先の出図端末で製造指示書を出力できる。
【００１５】
【発明の実施の形態】
以下、本発明を具体化した一実施形態を図１〜図７に従って説明する。本実施形態では、指示データと、その指示データに基づいて検索した文書ファイルに基づいて、出図管理システムに製造指示書を発行させるためのデータを提供する製造指示書発行方法及び製造指示書発行プログラムとして説明する。
【００１６】
図１に示すように、文書管理サーバ２０は、ネットワーク２５を介してクライアント端末３０に接続されている。さらに、文書管理サーバ２０及びクライアント端末３０は、ネットワーク２５を介して、受注システム２７等の別のシステム及びプリンタ２６に接続されている。
【００１７】
文書管理サーバ２０は、制御手段（ＣＰＵ）、通信手段等を構成する制御部２１と、文書ファイル記憶手段としての文書データ記憶部２２を含む記憶手段（ＲＡＭ、ＲＯＭ、ハードディスク等）とを備えている。本実施形態では、文書データ記憶部２２は、階層化されたフォルダを有し、上位フォルダの下に複数の下位フォルダや文書ファイルが存在する。なお、文書ファイルは、設計部門にて製品の設計が行われた場合に、設計担当者により作成され、文書データ記憶部２２に記憶される。本実施形態では、この文書ファイルは、予め文書データ記憶部２２に記憶されている。制御部２１は、クライアント端末３０からの指示により文書ファイルに対する処理を制御する。例えば、クライアント端末３０から検索指示が投入された場合、制御部２１は、文書データ記憶部２２にて文書ファイルの検索を実行する。
【００１８】
クライアント端末３０は、制御手段（ＣＰＵ）、通信手段等を構成する制御部３１及び記憶手段（ＲＡＭ、ＲＯＭ、ハードディスク等）を備えている。この記憶手段には、指示データ記憶手段としての指示データ記憶部３２、検索結果データ記憶部３３、レイアウト情報記憶手段としてのレイアウトデータ記憶部３４及びレイアウト検索情報記憶部３５が含まれる。また、クライアント端末３０には、製造指示書発行プログラムがインストールされている。制御部３１は、この製造指示書発行プログラムを実行することにより、指示データに基づいて文書管理サーバ２０に検索要求を行って文書ファイルを検索し、製造指示書の作成のためのデータを出図管理システムに送信する。なお、この製造指示書発行プログラムは、各種プログラムにより構成されており、制御部３１は、これらの各種プログラムを実行することにより、データの送受信、後述するデータの処理等を行う。
【００１９】
指示データ記憶部３２には、受注システム２７から入力された指示ファイル３２０が記憶される。指示ファイル３２０は、ＣＳＶ形式のファイルであって、１以上の指示レコード３２１から構成されている。そして、各指示レコード３２１は、それぞれ１つの製品の製造指示に対応する。本実施形態では、各指示レコード３２１は、３０個のフィールドを有している。各指示レコード３２１の各フィールドには、文書名又は文書番号等の検索条件や、印刷部数、レイアウト指定等の製造指示書の編集・印刷のために使用される情報が設定されている。本実施形態では、各指示レコード３２１の各フィールドには、図２に示すように、検索条件ａ１、文書名ａ２、文書番号ａ３、印刷部数ａ４、レイアウト指定ａ５及びその他の項目ａ６〜ａ３０が設定されている。検索条件ａ１、文書名ａ２、文書番号ａ３は、検索条件として用いられる。検索条件ａ１は、文書管理サーバ２０にて文書ファイルを検索する場合の検索キーである。文書名ａ２、文書番号ａ３は、それぞれ文書ファイルの文書名ａ２、文書番号ａ３である。印刷部数ａ４は、製造指示書を印刷する場合の用紙を印刷する部数である。レイアウト指定ａ５は、製造指示書のレイアウト情報を指定する。その他の項目ａ６〜ａ３０は、製造指示書に関するその他の項目であって、例えば、作成日、登録日、作成者等の文書ファイルに関する情報や、受注番号、顧客名等が設定されている。この指示ファイル３２０は、受注システム２７によって生成され、受注システム２７に備えられた記憶手段に記憶された指示ファイル３２０を入力することによって記憶される。
【００２０】
検索結果データ記憶部３３には、図３に示すように、文書管理サーバ２０から抽出した文書ファイルに基づいて検索結果ファイル３３０が記憶される。この検索結果ファイル３３０には、例えば、ＴＩＦＦ形式の図面文書が含まれる。各検索結果ファイル３３０は、文書名ｂ１、文書番号ｂ２、属性情報ｂ３及び文書情報ｂ４により構成される。文書名ｂ１は、検索結果ファイル３３０のファイル名である。文書番号ｂ２は、文書管理サーバ２０が文書ファイルを管理するための番号である。属性情報ｂ３には、作成者、登録日、更新日等の検索結果ファイル３３０の属性に関する情報が含まれる。文書情報ｂ４は、図面文書の中身である。この検索結果ファイル３３０は、指示ファイル３２０に従って文書管理サーバ２０から図面ファイルを抽出した場合に記憶される。
【００２１】
レイアウトデータ記憶部３４には、図４に示すように、レイアウト名ｃ１毎にレイアウト情報３４０が記憶される。レイアウト情報３４０は、レイアウト名ｃ１及び合成レイアウト情報ｃ２から構成される。レイアウト名ｃ１は、レイアウト情報３４０を識別するための識別子である。合成レイアウト情報ｃ２は、検索結果ファイル３３０の内容を表示する位置に関する情報と、指示レコード３２１中の項目の内容を表示する位置に関する情報が含まれる。図６に、合成レイアウト情報ｃ２に基づいて表示される製造指示書のレイアウトである合成レイアウト４０の例を示す。図６に示すように、合成レイアウト４０は、検索結果ファイル３３０の内容である図面を配置する図面配置４１、及び指示レコード３２１中の項目を配置する項目配置４２〜４７について、位置等に関する情報を有する。例えば、合成レイアウト４０は、文字、画像、直線、四角形、円等のオブジェクトを設定することができる。文字オブジェクトは、表示指定、位置Ｘ、位置Ｙ、幅、高さ、フォント種類、回転角度、線幅、線色等を設定するための情報を属性として有する。なお、表示指定は、規定値又は、設定された値を取り込むべき指示レコード３２１のフィールドを指定する。例えば、指示レコード３２１の第６フィールドに設定された値を取り込む場合、表示指定として「列６」が指定される。画像オブジェクトは、位置Ｘ、位置Ｙ、幅、高さ、回転角度等を設定するための情報を属性として有する。直線、四角形、円等のオブジェクトは、それぞれ、位置Ｘ、位置Ｙ、幅、高さ、線幅、線色等を設定するための情報を属性として有する。そして、合成レイアウト情報ｃ２は、検索結果ファイル３３０のＴＩＦＦ形式の画像に対して、文字、画像、直線、四角形、円等のオブジェクトをどのように配置するかを指定する。ここで、項目配置４２〜４７は、図面配置４１における図範囲４１ａと重ならない部分に、図面配置４１に重ねて配置される。なお、このレイアウト情報３４０は、本実施形態の処理に先立って予め記憶されている。
【００２２】
レイアウト検索情報記憶部３５には、図５に示すように、キーワードｄ１毎にレイアウト検索情報３５０が記憶される。レイアウト検索情報３５０は、キーワードｄ１及びレイアウト名ｃ１から構成される。キーワードｄ１は、指示レコード３２１や検索結果ファイル３３０の属性情報ｂ３に設定された値に含まれる文字列に対応し、レイアウト名ｃ１を検索する場合に用いられる。このレイアウト検索情報３５０は、本実施形態の処理に先立って予め記憶されている。
【００２３】
出図管理システム３６は、管理コンピュータ３７を備えている。管理コンピュータ３７は、制御手段（ＣＰＵ）、記憶手段（ＲＡＭ、ＲＯＭ、ハードディスク等）、通信手段等を備えたコンピュータである。この管理コンピュータ３７は、複数の出図端末としてのプリンタ３８及び複数の出図端末３９にそれぞれ接続されている。出図端末３９は、制御手段（ＣＰＵ）、記憶手段（ＲＡＭ、ＲＯＭ、ハードディスク等）、通信手段、表示手段（例えば、モニタ）、入力手段（例えば、キーボードやマウス）等を備えたコンピュータである。管理コンピュータ３７は、クライアント端末３０から製造指示書の出力のためのデータを受信すると、それに基づいて製造指示書の編集を行い、出力先のプリンタ３８又は出図端末３９に製造指示書の出力データを送信する。この管理コンピュータ３７と前記制御部３１とが製造指示書発行システムを構成する。すなわち、本実施形態では、制御部３１が、指示ファイル受信記憶手段、検索指示手段、文書ファイル受信手段等を構成し、管理コンピュータ３７が、製造指示書出力手段を構成する。プリンタ３８は、前記出力データに基づいて製造指示書を印刷する。出図端末３９は、担当者による出力要求を受け入れて、その表示手段に製造指示書を表示する。
【００２４】
次に、上記のように構成されたシステムにおいて、クライアント端末３０が文書管理サーバ２０から検索結果ファイル３３０を抽出し、出図管理システム３６にて製造指示書を出力する場合の処理手順を図７に従って説明する。
【００２５】
まず、受注システム２７は、当日製造する製品について、製造指示書の発行を指示するための指示ファイル３２０を受注システム２７の記憶手段に出力する。一方、クライアント端末３０を使用する担当者は、文書ファイルの検索画面（図示せず）をクライアント端末３０の表示手段に表示させる。そして、前記担当者は、その検索画面において指示ファイル３２０を指定して、その指示ファイル３２０の読込要求を行う。これに応じて、クライアント端末３０の制御部３１は、受注システム２７の記憶手段から指示ファイル３２０を読み込み、指示データ記憶部３２に記憶する（ステップＳ１−１）。そして、クライアント端末３０は、表示手段に指示ファイル３２０の内容を表示させる（ステップＳ１−２）。前述のように、指示ファイル３２０は、ＣＳＶ形式のファイルであり、前記検索画面には、指示ファイル３２０の内容が表形式で表示される。つまり、行毎に指示レコード３２１が表示される。
【００２６】
次に、前記担当者は、検索範囲として、ファイルを格納する１以上のキャビネット又はフォルダを選択する。クライアント端末３０は、その検索範囲の設定を行う（ステップＳ１−３）。具体的には、キャビネット及びフォルダがツリー表示され、前記担当者は、表示されたキャビネット及びフォルダの中から検索範囲のキャビネット又はフォルダを選択する。クライアント端末３０は、選択されたキャビネット又はフォルダを検索範囲として設定する。なお、選択されたキャビネット又はフォルダの配下に下位フォルダが存在する場合は、選択されたキャビネット又はフォルダの配下のすべての下位フォルダが検索範囲となる。
【００２７】
次に、前記担当者は、検索条件の入力を行う。クライアント端末３０は、検索条件として入力された文書タイプ、検索キー、検索モード、検索列に基づいて、検索条件を設定する（ステップＳ１−４）。文書タイプとは、文書の仕様（例えば、図面、仕様書等）を示し、文書ファイルの属性情報ｂ３として設定されている文書タイプに相当する。文書タイプについては、「すべての文書タイプ」又は各文書タイプの中からいずれかを選択する。検索キーとは、文書ファイルを検索する場合の検索キーであって、文書ファイルの文書名ｂ１や文書番号ｂ２及びその他の属性情報ｂ３を指定する。検索モードは、指示レコード３２１の検索列について、検索キーとの一致条件について、「完全一致」、「前方一致」、「後方一致」及び「一部一致」のいずれかを選択する。検索列は、表形式で表示されている指示ファイル３２０の内容について、どの列を検索対象とするかを指定する。ここでは、例えば、文書タイプ、検索キー、検索モード、検索列として、それぞれ、「すべての文書タイプ」、文書名ｂ１、「前方一致」、「列１」を設定する。なお、各指示レコード３２１について第１フィールドの検索条件ａ１が、検索列の「列１」に対応する。
【００２８】
次に、クライアント端末３０は、指示ファイル３２０による指定と、検索範囲及び検索条件の設定とに基づいて文書管理サーバ２０に文書ファイルの検索要求を行う（ステップＳ１−５）。これに応じて、文書管理サーバ２０は、文書ファイルの検索を行い、検索結果の文書ファイルをクライアント端末３０に送信する。クライアント端末３０は、受信した文書ファイルを検索結果ファイル３３０として検索結果データ記憶部３３に記憶する（ステップＳ１−６）。そして、クライアント端末３０は、検索結果の一覧を表示手段に表示する（ステップＳ１−７）。
【００２９】
次に、クライアント端末３０は、各指示レコード３２１に対応する製品の製造指示書のレイアウトを決定する（ステップＳ１−８）。具体的には、まず、クライアント端末３０は、例えば、指示レコード３２１の第５フィールドのレイアウト指定ａ５をレイアウト検索情報記憶部３５のキーワードｄ１と比較する。ここでは「前方一致」が設定されているため、キーワードｄ１とレイアウト指定ａ５とが前方一致の場合に、そのキーワードｄ１に対応するレイアウト名ｃ１を抽出する。そして、クライアント端末３０は、そのレイアウト名ｃ１に基づいて、レイアウトデータ記憶部３４からレイアウト情報３４０を抽出する。
【００３０】
次に、担当者は、クライアント端末３０に表示される出図管理画面（図示せず）において、出図ボタンをクリックすることにより、製造指示書の出力要求を行う。この製造指示書の出力要求は、出図管理システム３６に出力を一任できるとともに、出力先のプリンタ３８又は出図端末３９を指定して行うこともできる。これに応じて、クライアント端末３０は、出図管理システム３６に対し起動要求を行い、出図管理システム３６を起動する。そして、クライアント端末３０は、検索結果ファイル３３０、指示レコード３２１及びレイアウト情報３４０に基づいて、製造指示書の作成に必要なデータを出図管理システム３６に送信する（ステップＳ１−９）。なお、出図管理画面（図示せず）における出力要求は、前述のステップＳ１−１〜ステップＳ１−８の処理を行ったクライアント端末３０以外の端末で行ってもよい。このとき、出図管理システム３６は、前記出図管理画面における製造指示書の出力要求について、予め登録したユーザー名及びパスワードにより認証されたユーザーのみ受け付ける。
【００３１】
そして、管理コンピュータ３７は、その検索結果ファイル３３０と検索結果表示ファイルとを受信すると、製造指示書の合成レイアウトのマッピングを行う（ステップＳ１−１０）。具体的には、管理コンピュータ３７は、検索結果ファイル３３０の図面や、指示レコード３２１に基づく文字列等をレイアウト情報３４０に従って配置する。つまり、クライアント端末３０は、検索結果ファイル３３０に基づく図面上に、レイアウト情報３４０の合成レイアウト情報ｃ２に含まれる各オブジェクトを各オブジェクトの位置Ｘ、位置Ｙ、幅及び高さに基づいて配置する。例えば、指示レコード３２１の第６フィールドに受注番号が設定されており、所定の文字オブジェクトが、この受注番号を表示する場合、その文字オブジェクトの前記表示指定としては「列６」が設定されている。一方、指示レコード３２１の第６フィールドに「１１１１」が設定されている場合、前記所定の文字オブジェクトとして「１１１１」が表示される。
【００３２】
次に、出図に関して出図管理システム３６に一任されている場合には、管理コンピュータ３７は、複数のプリンタ３８及び複数の出図端末３９のうちのいずれかに製造指示書の配布先を振り分ける（ステップＳ１−１１）。具体的には、管理コンピュータ３７は、検索結果ファイル３３０の属性情報ｂ３に基づいて、配布先毎に出力対象の製造指示書を選択する。例えば、管理コンピュータ３７は、属性情報ｂ３として設定されている作成者に基づいて、所定の記憶部から出力先を抽出し、それを用いて出力先を振り分ける。なお、出力先のプリンタ３８又は出図端末３９を指定して製造指示書の出力要求が行われた場合には、指定されたプリンタ３８又は出図端末３９を出力先とする製造指示書のみを出力対象とする。
【００３３】
そして、管理コンピュータ３７は、振り分けられたプリンタ３８又は出図端末３９に、それぞれ製造指示書の出力ファイルを送信する（ステップＳ１−１２）。そして、プリンタ３８は、その製造指示書の出力ファイルを受信すると、それに基づいて製造指示書を印刷する。一方、出図端末３９は、受信した製造指示書の出力ファイルに基づいて、その表示手段に製造指示書を表示する。
【００３４】
以上、本実施形態によれば、以下に示す効果を得ることができる。
・　上記の実施形態では、クライアント端末３０は、指示ファイル３２０に基づいて、文書管理サーバ２０に文書ファイルの検索を指示し、検索された文書ファイルを文書管理サーバ２０から受信する。そして、管理コンピュータ３７は、指示レコード３２１及び検索された文書ファイルを用いて生成した製造指示書を複数のプリンタ３８及び複数の出図端末３９の中から出力先を割り振って出力する。このため、指示レコード３２１に基づいて文書管理サーバ２０から抽出した文書ファイルと指示レコード３２１とに基づいて生成した製造指示書を、予め設定された複数のプリンタ３８及び複数の出図端末３９に効率的に出力することができる。
【００３５】
・　上記の実施形態では、管理コンピュータ３７は、文書ファイルの属性情報ｂ３に基づいて、出力対象の製造指示書又は出力先のプリンタ３８又は出図端末３９を特定する。このため、必要な文書ファイルに基づく製造指示書のみ出力できる。また、文書ファイル毎に、所定のプリンタ３８又は出図端末４３で製造指示書を出力できる。
【００３６】
なお、上記実施形態は、以下の態様に変更してもよい。
・　上記の実施形態では、検索結果ファイル３３０の属性情報ｂ３に基づいて、出力先のプリンタ３８又は出図端末３９を特定した。これに代えて、指示レコード３２１に出力先を設定し、それに基づいて、出力先を振り分けてもよい。このようにすることで、検索結果ファイル３３０の属性情報ｂ３に関わらず、出力先を振り分けることができる。
【００３７】
・　上記の実施形態では、制御部３１と管理コンピュータ３７とが製造指示書発行システムを構成した。これに代えて、１つの制御部で製造指示書発行システムを構成してもよい。
【００３８】
【発明の効果】
以上詳述したように、本発明によれば、製品の製造指示書を複数の出図端末の中から出力先を割り振って、一括して出力できる。
【図面の簡単な説明】
【図１】本発明の一実施形態のシステム概略図。
【図２】指示データ記憶部に記憶されたデータの説明図。
【図３】検索結果データ記憶部に記憶されたデータの説明図。
【図４】レイアウトデータ記憶部に記憶されたデータの説明図。
【図５】レイアウト検索情報記憶部に記憶されたデータの説明図。
【図６】合成レイアウトの説明図。
【図７】本発明の一実施形態の処理手順の説明図。
【符号の説明】
２０…文書管理サーバ、３１…製造指示書発行システムとしての制御部、３２…指示データ記憶手段としての指示データ記憶部、３３…検索結果データ記憶手段としての検索結果データ記憶部、３７…製造指示書発行システムとしての管理コンピュータ、３８…出図端末としてのプリンタ、３９…出図端末。
【図１】
2004062817.tif 000003
【図２】
2004062817.tif 000004
【図３】
2004062817.tif 000005
【図４】
2004062817.tif 000006
【図５】
2004062817.tif 000007
【図６】
2004062817.tif 000008
【図７】
2004062817.tif 000009